(57)【要約】  移動体通信装置(100)の筐体構造が、互いに接続され、開位置及び閉位置の間で互いに相対的に移動可能な第１及び第２の筐体部分(112,114)を備える。第１の筐体部分(112)は、閉位置にある際に第２の筐体部分によって実質的に隠されるディスプレイ(150)を含む。第２の筐体部分(114)は、閉位置にある際にディスプレイ(150)の一部を見せるウィンドウ(116)を含む。開位置において、第２の筐体部分(114)のウィンドウ(116)を通じ、接触感知型入力デバイス(140)を用いることができる。
2009530905.tif 000002
【特許請求の範囲】
【請求項１】
ポータブル電子機器(100)であって、
第１の筐体部分(112)と、
前記第１の筐体部分(112)に対してスライド可能に接続された第２の筐体部分(114)と、を有し、
前記第１及び第２の筐体部分(112,114)は開位置および閉位置の間で互いに相対的にスライド可能であり、
さらに、
前記第１及び第２の筐体部分(112,114)が前記閉位置にある際には前記第２の筐体部分(114)によって実質的に隠され、前記第１及び第２の筐体部分(112,114)が前記開位置にある際には露出するように前記第１の筐体部分(112)に配置されたディスプレイ(150)と、
前記第２の筐体部分(114)におけるウィンドウ(116)であって、前記第１及び第２の筐体部分(112,114)が前記閉位置にある際に、前記ウィンドウ(116)を通じて前記ディスプレイ(150)の一部を見ることを可能にするウィンドウ(116)とを有することを特徴とするポータブル電子機器。
【請求項２】
前記第１の筐体部分(112)が、前記第１及び第２の筐体部分(112,114)が前記開位置にある際に、前記第２の筐体部分(114)の前記ウィンドウ(116)を通じて利用可能な接触感知型入力デバイス(140)を含むことを特徴とする請求項１記載のポータブル電子機器。
【請求項３】
前記接触感知型入力デバイス(140)が、前記第１及び第２の筐体部分(112,114)が前記開位置にある際に、前記第２の筐体部分(114)の前記ウィンドウ(116)を通じて利用可能なタッチパッド(142)を備えることを特徴とする請求項２記載のポータブル電子機器。
【請求項４】
前記ディスプレイ(150)がタッチスクリーンディスプレイを備え、前記第１及び第２の筐体部分(112,114)が前記開位置にある際に前記ウィンドウ(116)を通じて利用可能な前記タッチスクリーンディスプレイの部分が、前記接触感知型入力デバイス(140)として機能することを特徴とする請求項２記載のポータブル電子機器。
【請求項５】
前記第１及び第２の筐体部分(112,114)が前記開位置にある際に前記ウィンドウ(116)を通じて利用可能な前記タッチスクリーンディスプレイの前記部分が、仮想ナビゲーションコントロールとして機能することを特徴とする請求項４記載のポータブル電子機器。
【請求項６】
前記ウィンドウ(116)に隣接する前記第２の筐体部分(114)に配置された１つ又は複数のソフトキー(130,132)をさらに有し、前記ウィンドウ(116)を通して見ることができる前記ディスプレイ(150)の前記一部が、前記ソフトキー(130,132)の機能を示すソフトキーアイコンを表示することを特徴とする請求項１記載のポータブル電子機器。
【請求項７】
ポータブル電子機器(100)上にユーザインタフェース要素を配置する方法であって、
第１及び第２の筐体部分(112,114)を、開位置及び閉位置の間で相互に相対的に移動できるよう、スライド可能に接続するステップと、
前記閉位置にある際に、前記第２の筐体部分(114)によって少なくとも部分的にカバーされるよう、ディスプレイ(150)を前記第１の筐体部分(112)に配置するステップと、
前記閉位置において前記ディスプレイ(150)の一部を見るために前記第２の筐体部分(114)にウィンドウ(116)を形成するステップとを有することを特徴とする方法。
【請求項８】
前記開位置において前記第２の筐体部分(114)の前記ウィンドウ(116)を通じて利用可能なように、前記第１の筐体部分(112)に接触感知型入力デバイス(140)を配置するステップをさらに有することを特徴とする請求項７記載の方法。
【請求項９】
前記第１の筐体部分(112)に接触感知型入力デバイス(140)を配置するステップが、前記開位置において前記第２の筐体部分(114)の前記ウィンドウ(116)を通じて利用可能なようにタッチパッド(142)を配置するステップを有することを特徴とする請求項８記載の方法。
【請求項１０】
前記第１の筐体部分(112)に接触感知型入力デバイス(140)を配置するステップが、前記開位置において前記ウィンドウ(116)を通じて一部を利用可能なようにタッチスクリーンディスプレイを配置するステップを有することを特徴とする請求項８記載の方法。
【請求項１１】
前記タッチスクリーンディスプレイの前記一部にナビゲーションコントロールを表示するステップと、ユーザによる接触入力に応答してナビゲーションコントロール信号を生成するステップをさらに有することを特徴とする請求項１０記載の方法。
【請求項１２】
前記第２の筐体部分(114)の前記ウィンドウ(116)に隣接する部分に１つ又は複数のソフトキー(130,132)を配置するステップと、前記ソフトキー(130,132)の機能を示すソフトキーアイコンを、前記ディスプレイ(150)の、前記ウィンドウ(116)を通じて見ることのできる前記一部に表示するステップとをさらに有することを特徴とする請求項７記載の方法。
【請求項１３】
ポータブル電子機器(100)であって、
第１の筐体部分(112)と、
前記第１の筐体部分(112)に接続され、前記第１の筐体部分に対して開位置及び閉位置の間で移動可能な第２の筐体部分(114)と、
前記第１及び第２の筐体部分(112,114)が前記閉位置にある際には前記第２の筐体部分(114)によって実質的に隠され、前記第１及び第２の筐体部分(112,114)が前記開位置にある際には露出するように前記第１の筐体部分(112)に配置されたディスプレイ(150)と、
前記第１及び第２の筐体部分(112,114)が前記閉位置にある際に前記ディスプレイの一部を見ることができるように前記第２の筐体部分(114)に設けられたウィンドウ(116)と、
前記第２の筐体部分(114)の前記ウィンドウ(116)に隣接する部分に配置された１つ又は複数のソフトキー(130,132)とを有することを特徴とするポータブル電子機器。
【請求項１４】
前記ウィンドウ(160)を通して見ることができる前記ディスプレイ(150)の前記一部が、前記ソフトキー(130,132)の機能を示すソフトキーアイコンを表示することを特徴とする請求項１３記載のポータブル電子機器。
【請求項１５】
前記第１の筐体部分(112)が、前記第１及び第２の筐体部分(112,114)が前記開位置にある際に、前記第２の筐体部分(114)の前記ウィンドウ(116)を通じて利用可能な接触感知型入力デバイス(140)を含むことを特徴とする請求項１３記載のポータブル電子機器。
【請求項１６】
前記接触感知型入力デバイス(140)が、前記第１及び第２の筐体部分(112,114)が前記開位置にある際に、前記第２の筐体部分(114)の前記ウィンドウ(116)を通じて利用可能なタッチパッド(142)を備えることを特徴とする請求項１５記載のポータブル電子機器。
【請求項１７】
前記接触感知型入力デバイス(150)がタッチスクリーンディスプレイを備え、前記接触感知型入力デバイス(140)が、前記第１及び第２の筐体部分(112,114)が前記開位置にある際に、前記第２の筐体部分(114)の前記ウィンドウ(116)を通じて利用可能な前記タッチスクリーンディスプレイの一部を含むことを特徴とする請求項１５記載のポータブル電子機器。
【請求項１８】
前記第１及び第２の筐体部分(112,114)が前記開位置にある際に前記ウィンドウ(116)を通じて利用可能な前記タッチスクリーンディスプレイの前記一部が、ナビゲーションコントロールとして機能することを特徴とする請求項１７記載のポータブル電子機器。
【請求項１９】
(116)ポータブル電子機器(100)上にユーザインタフェース要素を配置する方法であって、
第１及び第２の筐体部分(112,114)を、開位置及び閉位置の間で相互に相対的に移動できるように接続するステップと、
前記第２の筐体部分(114)が前記閉位置にある際に、少なくとも部分的にカバーされるよう、ディスプレイ(150)を前記第１の筐体部分(112)に配置するステップと、
前記閉位置において前記ディスプレイ(150)の一部を見るために前記第２の筐体部分(114)にウィンドウ(116)を形成するステップと、
前記第２の筐体部分(114)の前記ウィンドウ(116)に隣接した部分に１つ又は複数のソフトキー(130,132)を配置するステップとを有することを特徴とする方法。
【請求項２０】
前記ソフトキー(130,132)の機能を示すソフトキーアイコンを、前記ディスプレイ(150)の、前記ウィンドウ(116)を通じて見ることのできる前記一部に表示するステップをさらに有することを特徴とする請求項１９記載の方法。
【請求項２１】
前記開位置において前記第２の筐体部分(114)の前記ウィンドウ(116)を通じて露出するように、前記第１の筐体部分(112)に接触感知型入力デバイス(140)を配置するステップをさらに有することを特徴とする請求項１９記載の方法。
【請求項２２】
前記第１の筐体部分(112)に接触感知型入力デバイス(140)を配置するステップが、前記開位置において前記第２の筐体部分(114)の前記ウィンドウ(116)を通じて利用可能なようにタッチパッド(142)を配置するステップを有することを特徴とする請求項２１記載の方法。
【請求項２３】
前記第１の筐体部分(112)に接触感知型入力デバイス(140)を配置するステップが、前記開位置において前記ウィンドウ(116)を通じて一部を利用可能なようにタッチスクリーンディスプレイを配置するステップを有することを特徴とする請求項２１記載の方法。
【請求項２４】
前記タッチスクリーンディスプレイにナビゲーションコントロールを表示するステップと、ユーザによる接触入力に応答してナビゲーションコントロール信号を生成するステップとをさらに有することを特徴とする請求項２３記載の方法。
【発明の詳細な説明】
【背景技術】
【０００１】
本発明はハンドヘルド及びポータブル電子機器に関し、特にはハンドヘルド及びポータブル電子機器のための筐体及びユーザインタフェースデザインに関する。
【０００２】
ハンドヘルド及びポータブル電子機器は現代社会における消費者にとって当たり前の携行品となってきている。そのような機器には、携帯電話、携帯情報端末（ＰＤＡ）、カメラ及びオーディオプレーヤが含まれる。異なる機能を実行するために多くの機器を持ち運ぶのは不便なので、消費者は様々な機能を実行可能な多機能機器を希望する。このトレンドにより、無線通信とコンピュータ技術とが１つの機器にまとまるようになってきている。そういった機器はさらに、カメラ及び音声録音／再生機能をも含みうる。
【０００３】
多くの移動体機器は、相対的に旋回、回転又はスライドする２つ又はそれより多い部分を有するマルチパート筐体を有している。例えば、（フリップ型電話機としても知られる）シェル型携帯電話機は、通常、蝶番によって旋回可能に接続された２つの筐体部分を備える。１つの部分はカバー又はフリップとして機能し、開いた位置と、もう一方の部分の上にある電話機のディスプレイ及び／又はキーパッドをカバーするための閉じた位置との間を移動する。２つ又はそれより多い筐体部分が互いに相対的にスライドする、スライドデザイン（本明細書ではスライダと呼ぶ）が知られている。さらに、２つ又はそれより多い部分がジャックナイフのように互いに相対的に回転する、ジャックナイフデザインもある。
【０００４】
個々のデザインタイプには、長所と短所がある。シェル型デザインは、カバーが閉じている際に保護される大型のディスプレイを収容することができる。カバーが閉じられている際に、発呼者の電話番号、現在時刻及び日付、電池残量といった情報を見ることができるよう、より小さなディスプレイをカバー部分に設けることもできる。大半のシェル型デザインにおいては、意図しない発呼やキーの押下を防ぐため、閉位置ではキーパッドもまた閉位置ではカバーされる。開かれると、シェル型デザインは大部分の人の耳から口の距離に対して「自然な」大きさである。しかし、シェル型デザインは壊れやすく機械的に故障しやすい。また、閉じた状態では機能が限定されるとともに、ソフトキーとディスプレイとの距離が理想的な距離よりも短い。スライド型デザインでは、通常ディスプレイは外側にあり、閉じた状態における機能をサポートする。閉じた状態においてキーパッドは通常カバーされ、不注意によるキー押下から保護される。スライド型デザインはシェル型デザインよりも丈夫な傾向にあり、耳と口との距離に関してはシェル型デザインと同様の長所を提供する。しかし、スライド型デザインはディスプレイの保護を提供せず、通常は情報を見るための２つめのディスプレイを含まない。
【発明の開示】
【０００５】
１つの例示的な実施形態に係るポータブル電子機器は、第１の筐体部分と、開位置と閉位置との間で互いに相対的に移動できるように第１の筐体部分に接続された第２の筐体部分とを有する。ディスプレイが、第１及び第２の筐体部分が閉位置にある際、第２の筐体部分によって実質的に隠されるように、第１の筐体部分に配置される。第２の筐体部分におけるウィンドウは、第１及び第２の筐体部分が閉位置にある状態で、ウィンドウを通してディスプレイの一部を見ることを可能にする。
【０００６】
本発明の実施形態において、接触感知型の入力デバイスが第１の筐体部分に配置され、第１及び第２の筐体部分が開位置にある状態で、第２の筐体部分におけるウィンドウを通じてアクセスすることができる。ディスプレイはタッチスクリーンディスプレイを備えてもよい。タッチスクリーンディスプレイの一部は第２の筐体部分におけるウィンドウを通じて利用可能であってよく、接触感知型入力デバイスとして機能してもよい。あるいは、接触感知型入力デバイスは、ディスプレイとは完全に分離したタッチパッド又は他の入力デバイスを備えてもよい。
【０００７】
本発明の実施形態において、第２の筐体部分は、ユーザ入力を受け付けるための１つ又は複数のソフトキーを含んでもよい。ソフトキーはウィンドウに隣接して配置されてもよい。ソフトキーの機能を示すソフトキーアイコンを、ディスプレイの、第２の筐体部分におけるウィンドウを通じて見ることができる部分に表示してもよい。
【発明を実施するための最良の形態】
【０００８】
図を参照すると、本発明の１つの例示的な実施形態に係るポータブル電子機器が示されている。この例示的な実施形態は、携帯電話機又は携帯情報端末のような移動体通信装置１００を含む。しかし、本技術分野に属する当業者は、本発明が、オーディオ及びビデオプレーヤ、オーディオ及びビデオ記録装置、カメラ及びゲーム機を含む、広範囲のポータブル及びハンドヘルド電子機器において広範な適用性を有することを理解するであろう。
【０００９】
移動体通信装置１００は、２つの別個の筐体部分１１２及び１１４を備えた筐体１１０を含む。第１及び第２の筐体部分１１２，１１４は、互いにスライド可能に接続され、開位置及び閉位置の間で相対的にスライドする。
【００１０】
ここでは下部と呼ぶ第１の筐体部分１１２は、ディスプレイ１５０を含む。ディスプレイ１５０は、一般的な液晶ディスプレイ又はタッチスクリーンディスプレイを備えていてよい。ここでは上部と呼ぶ第２の筐体部分１１４は、内部に形成されたウィンドウ１１６を有する。第２の筐体部分１１４は、閉状態において、ディスプレイ１５０の一部がウィンドウ１１６を通じて見えるようにしながら、ディプレイ１５０を実質的にカバーする。
【００１１】
移動体通信装置１００は、参照数字１２０でまとめて示される、１つ又はそれより多い入力デバイスを含む。図３及び図５に示すように、第１の筐体部分１１２には、開状態においてウィンドウを通じて利用可能なように接触感知型ユーザ入力デバイス１４０が配置される。図３に示す実施形態において、ディスプレイ１５０はタッチスクリーンディスプレイを備え、接触感知型入力デバイス１４０として機能する。図５に示す実施形態において、接触感知型入力デバイス１４０はタッチパッド１４２又は他の接触入力デバイスを備える。
【００１２】
第２の筐体部分１１４のウィンドウ１１６の下には、いくつかのファンクションキー１２２、１２４、１２６、１２８とともに通常の電話キーパッド１２１が配置されている。加えて、２つのソフトキー１３０，１３２がウィンドウ１１６の隣に配置されている。ソフトキー１３０，１３２は現在の状況や操作モードに応じて機能を変える。ソフトキーは一般にディスプレイ１５０に隣接して配置される。現在の状況におけるソフトキー１３０，１３２の機能は、隣接するディスプレイ１５０上にアイコンやテキストで示される。
【００１３】
図１及び図２は、閉状態における移動体通信装置１００を示している。ディスプレイ１５０の一部は、上筐体部分１１４におけるウィンドウ１１６を通して見ることができ、現在時刻、電池残量および信号強度など、ユーザに情報を表示するために用いることができる。図１において、ディスプレイ１５０は、着信をユーザに知らせるメッセージを含むとともに、発呼者の識別情報を表示する。ソフトキーアイコンがソフトキー１３０，１３２に隣接して表示され、ユーザがソフトキー１３０を押下して着信を受け付けることが可能であること、ソフトキー１３２を押下して着信を拒否できることを示している。ソフトキーアイコンはテキスト、画像、またはそれらの組み合わせを含んでよい。ウィンドウ１１６の下側のアイコンは現在の電池残量レベル及び信号レベルを示している。
【００１４】
図３及び図４は、タッチスクリーンディスプレイ１５０を有する移動体通信装置１００の開状態における第１の例示的な実施形態を示す。ディスプレイ１５０のずっと多くの領域が見えるように、下部１１２は上部１１４に対して相対的に上方にスライドされている。本実施形態では、上部１１４は開状態においてタッチスクリーンディスプレイ１５０の一部を覆っている。タッチスクリーンディスプレイ１５０の、上部１１４のウィンドウ１１６を通して見ることができる部分は、接触感知型入力デバイスとして機能する。図３に示す実施形態において、タッチスクリーンディスプレイ１５０の、ウィンドウ１１６を通して見ることができる部分は、ディスプレイ１５０上のメニュー及び項目を検索し、選択を実行することを目的としてディスプレイ１５０上のスクリーンカーソルやポインタを動かすために用いることが可能な、仮想的なファイブウェイナビゲーションコントロールになる。
【００１５】
図５は、開状態にある移動体通信装置１００の第２の実施形態を示している。本実施形態においては、ディスプレイ１５０の全体が、上部１１４の上端から上に引き出されている。この場合、下部１１２の下側にあるタッチパッド１４２又は他の入力コントロールは、開状態にある上筐体部分１１４のウィンドウ１１６を通して使用することができる。閉状態で、タッチパッド１４２はカバーされるか隠される。
【００１６】
図６は、移動体通信装置１００の機能要素をブロック図で示している。機能要素は制御回路１０２、メモリ１０４、送受信器１０６、音声処理回路１０８、およびユーザインタフェースを含む。制御回路１０２は、メモリ１０４に格納されたプログラム命令に従って移動体通信装置１００の全体動作を制御する１つ又は複数のプロセッサを有してよい。メモリ１０４は、一時記憶のためのランダムアクセスメモリと、恒久記憶のための読み出し専用メモリとを含む、１つ又は複数のメモリデバイスを有してよい。メモリ１０４は動作に必要なプログラム命令及びデータを格納する。送受信器１０６は、リモートデバイスとの通信を可能にする。送受信器１０６は、例えば標準的なセルラ送受信器や、ブルートゥース又はＷＩＦＩ送受信器のような短距離無線インタフェースを備えてよい。音声処理回路１０８は、マイク１０５から入力される音声信号を処理し、スピーカ１０７から出力する。マイク１０５は音響信号を電気信号に変換する。スピーカ１０７は電気音声信号を音響信号に変換する。ディスプレイ１５０と、参照数字１２０でまとめて示される１つ又は複数の入力デバイスとを備えるユーザインタフェースは、ユーザが移動体通信装置１００と相互にやりとりすることを可能にする。上述した実施形態において、入力デバイス１２０はキーパッド１２１、ファンクションキー１２２、１２４、１２６及び１２８、ソフトキー１３０、１３２を含む。接触感知型入力デバイス１４０もまたユーザ入力デバイス１２０として機能する。
【００１７】
制御回路１０２は、移動体通信装置１００が開状態であるか閉状態であるかに応じてディスプレイ１５０を変化させるよう、構成あるいはプログラムされる。閉状態において、制御回路１０２は、第２の筐体部分１１４のウィンドウ１１６を通じて見ることができるディスプレイ１５０の部分に、関連情報を表示させる。例えば、図３に示す実施形態について、制御回路１０２は、第２の筐体部分１１４のウィンドウ１１６を通じて見ることができるディスプレイ１５０の部分に、仮想５ウェイナビゲーションコントロールが表示されるようにするとともに、接触入力に応じてナビゲーションコントロール信号を生成する。
【００１８】
本発明は、ここで具体的に説明した方法以外の方法によっても、発明の範囲及び本質的な特性を逸脱することなく実施することが可能である。上述の実施形態はあらゆる点において例示として解釈されるべきであり、限定的なものと解釈すべきではない。また、添付の特許請求の範囲の意味及びその等価範囲に含まれるいかなる変更も、特許請求の範囲に包含されることが意図されている。
【図面の簡単な説明】
【００１９】
【図１】閉状態にある移動体通信装置の正面図である。第１の筐体部分のディスプレイを、第２の筐体部分におけるウィンドウを通じて見ることができる。
【図２】閉状態における移動体通信装置の側面図である。
【図３】開状態にある移動体通信装置の第１の例示的な実施形態の正面図である。この実施形態においては、タッチスクリーンディスプレイの一部が、第２の筐体部分におけるウィンドウを通じて利用可能であり、接触感知型入力デバイスとして機能する。
【図４】開状態における移動体通信装置の側面図である。
【図５】開状態にある移動体通信装置の第２の例示的な実施形態の正面図である。この実施形態においては、第２の筐体部分におけるウィンドウを通じて利用可能なタッチパッドが、接触感知型入力デバイスとして機能する。
【図６】移動体通信装置の機能ブロック図である。
【図１】
2009530905.tif 000003
【図２】
2009530905.tif 000004
【図３】
2009530905.tif 000005
【図４】
2009530905.tif 000006
【図５】
2009530905.tif 000007
【図６】
2009530905.tif 000008
【手続補正書】
【提出日】平成20年1月11日(2008.1.11)
【手続補正１】
【補正対象書類名】特許請求の範囲
【補正対象項目名】全文
【補正方法】変更
【補正の内容】
【特許請求の範囲】
【請求項１】
ポータブル電子機器(100)であって、
第１の筐体部分(112)と、
前記第１の筐体部分(112)に対してスライド可能に接続された第２の筐体部分(114)と、を有し、
前記第１及び第２の筐体部分(112,114)は開位置および閉位置の間で互いに相対的にスライド可能であり、
さらに、
前記第１及び第２の筐体部分(112,114)が前記閉位置にある際には前記第２の筐体部分(114)によって実質的に隠され、前記第１及び第２の筐体部分(112,114)が前記開位置にある際には露出するように前記第１の筐体部分(112)に配置されたディスプレイ(150)と、
前記第１の筐体部分(112)に配置された接触感知型入力デバイス(140)と、
前記第２の筐体部分(114)に設けられたウィンドウ(116)であって、前記第１及び第２の筐体部分(112,114)が前記閉位置にある際に、前記ウィンドウ(116)を通じて前記ディスプレイ(150)の一部を見ることを可能にし、前記第１及び第２の筐体部分(112,114)が前記開位置にある際に、前記ウィンドウ(116)を通じて前記接触感知型入力デバイス(140)を利用可能にするウィンドウ(116)とを有することを特徴とするポータブル電子機器。
【請求項２】
前記接触感知型入力デバイス(140)が、前記第１及び第２の筐体部分(112,114)が前記開位置にある際に、前記第２の筐体部分(114)の前記ウィンドウ(116)を通じて利用可能なタッチパッド(142)を備えることを特徴とする請求項１記載のポータブル電子機器。
【請求項３】
前記ディスプレイ(150)がタッチスクリーンディスプレイを備え、前記第１及び第２の筐体部分(112,114)が前記開位置にある際に前記ウィンドウ(116)を通じて利用可能な前記タッチスクリーンディスプレイの部分が、前記接触感知型入力デバイス(140)として機能することを特徴とする請求項１記載のポータブル電子機器。
【請求項４】
前記第１及び第２の筐体部分(112,114)が前記開位置にある際に前記ウィンドウ(116)を通じて利用可能な前記タッチスクリーンディスプレイの前記部分が、仮想ナビゲーションコントロールとして機能することを特徴とする請求項３記載のポータブル電子機器。
【請求項５】
前記ウィンドウ(116)に隣接する前記第２の筐体部分(114)に配置された１つ又は複数のソフトキー(130,132)をさらに有し、前記ウィンドウ(116)を通して見ることができる前記ディスプレイ(150)の前記一部が、前記ソフトキー(130,132)の機能を示すソフトキーアイコンを表示することを特徴とする請求項１記載のポータブル電子機器。
【請求項６】
ポータブル電子機器(100)上にユーザインタフェース要素を配置する方法であって、
第１及び第２の筐体部分(112,114)を、開位置及び閉位置の間で相互に相対的に移動できるよう、スライド可能に接続するステップと、
前記閉位置にある際に、前記第２の筐体部分(114)によって少なくとも部分的にカバーされるように、かつ前記第１及び第２の筐体部分(112,114)が前記開位置にある際に少なくとも一部が露出するように、ディスプレイ(150)を前記第１の筐体部分(112)に配置するステップと、
前記第１の筐体部分(112)に接触感知型入力デバイス(140)を配置するステップと、
前記第１及び第２の筐体部分(112,114)が前記閉位置にある際に前記ディスプレイ(150)の一部へのアクセスを可能にし、前記第１及び第２の筐体部分(112,114)が前記開位置にある際に前記接触感知型入力デバイス(140)の少なくとも一部へのアクセスを可能とするために前記第２の筐体部分(114)にウィンドウ(116)を形成するステップとを有することを特徴とする方法。
【請求項７】
前記第１の筐体部分(112)に接触感知型入力デバイス(140)を配置するステップが、前記開位置において前記第２の筐体部分(114)の前記ウィンドウ(116)を通じて利用可能なようにタッチパッド(142)を配置するステップを有することを特徴とする請求項６記載の方法。
【請求項８】
前記第１の筐体部分(112)に接触感知型入力デバイス(140)を配置するステップが、前記開位置において前記ウィンドウ(116)を通じて一部を利用可能なようにタッチスクリーンディスプレイを配置するステップを有することを特徴とする請求項６記載の方法。
【請求項９】
前記タッチスクリーンディスプレイの前記一部にナビゲーションコントロールを表示するステップと、ユーザによる接触入力に応答してナビゲーションコントロール信号を生成するステップをさらに有することを特徴とする請求項８記載の方法。
【請求項１０】
前記第２の筐体部分(114)の前記ウィンドウ(116)に隣接する部分に１つ又は複数のソフトキー(130,132)を配置するステップと、前記ソフトキー(130,132)の機能を示すソフトキーアイコンを、前記ディスプレイ(150)の、前記ウィンドウ(116)を通じて見ることのできる前記一部に表示するステップとをさらに有することを特徴とする請求項６記載の方法。
【請求項１１】
ポータブル電子機器(100)であって、
第１の筐体部分(112)と、
前記第１の筐体部分(112)に接続され、前記第１の筐体部分に対して開位置及び閉位置の間で移動可能な第２の筐体部分(114)と、
前記第１及び第２の筐体部分(112,114)が前記閉位置にある際には前記第２の筐体部分(114)によって実質的に隠され、前記第１及び第２の筐体部分(112,114)が前記開位置にある際には露出するように前記第１の筐体部分(112)に配置されたディスプレイ(150)と、
前記第１及び第２の筐体部分(112,114)が前記閉位置にある際に前記ディスプレイの一部を見ることができるように前記第２の筐体部分(114)に設けられたウィンドウ(116)と、
前記第２の筐体部分(114)の前記ウィンドウ(116)に隣接する部分に配置された１つ又は複数のソフトキー(130,132)とを有することを特徴とするポータブル電子機器。
【請求項１２】
前記ウィンドウ(160)を通して見ることができる前記ディスプレイ(150)の前記一部が、前記ソフトキー(130,132)の機能を示すソフトキーアイコンを表示することを特徴とする請求項１１記載のポータブル電子機器。
【請求項１３】
前記第１の筐体部分(112)が、前記第１及び第２の筐体部分(112,114)が前記開位置にある際に、前記第２の筐体部分(114)の前記ウィンドウ(116)を通じて利用可能な接触感知型入力デバイス(140)を含むことを特徴とする請求項１１記載のポータブル電子機器。
【請求項１４】
前記接触感知型入力デバイス(140)が、前記第１及び第２の筐体部分(112,114)が前記開位置にある際に、前記第２の筐体部分(114)の前記ウィンドウ(116)を通じて利用可能なタッチパッド(142)を備えることを特徴とする請求項１３記載のポータブル電子機器。
【請求項１５】
前記接触感知型入力デバイス(150)がタッチスクリーンディスプレイを備え、前記接触感知型入力デバイス(140)が、前記第１及び第２の筐体部分(112,114)が前記開位置にある際に、前記第２の筐体部分(114)の前記ウィンドウ(116)を通じて利用可能な前記タッチスクリーンディスプレイの一部を含むことを特徴とする請求項１３記載のポータブル電子機器。
【請求項１６】
前記第１及び第２の筐体部分(112,114)が前記開位置にある際に前記ウィンドウ(116)を通じて利用可能な前記タッチスクリーンディスプレイの前記一部が、ナビゲーションコントロールとして機能することを特徴とする請求項１５記載のポータブル電子機器。
【請求項１７】
(116)ポータブル電子機器(100)上にユーザインタフェース要素を配置する方法であって、
第１及び第２の筐体部分(112,114)を、開位置及び閉位置の間で相互に相対的に移動できるように接続するステップと、
前記第２の筐体部分(114)が前記閉位置にある際に、少なくとも部分的にカバーされるよう、ディスプレイ(150)を前記第１の筐体部分(112)に配置するステップと、
前記閉位置において前記ディスプレイ(150)の一部を見るために前記第２の筐体部分(114)にウィンドウ(116)を形成するステップと、
前記第２の筐体部分(114)の前記ウィンドウ(116)に隣接した部分に１つ又は複数のソフトキー(130,132)を配置するステップとを有することを特徴とする方法。
【請求項１８】
前記ソフトキー(130,132)の機能を示すソフトキーアイコンを、前記ディスプレイ(150)の、前記ウィンドウ(116)を通じて見ることのできる前記一部に表示するステップをさらに有することを特徴とする請求項１７記載の方法。
【請求項１９】
前記開位置において前記第２の筐体部分(114)の前記ウィンドウ(116)を通じて露出するように、前記第１の筐体部分(112)に接触感知型入力デバイス(140)を配置するステップをさらに有することを特徴とする請求項１７記載の方法。
【請求項２０】
前記第１の筐体部分(112)に接触感知型入力デバイス(140)を配置するステップが、前記開位置において前記第２の筐体部分(114)の前記ウィンドウ(116)を通じて利用可能なようにタッチパッド(142)を配置するステップを有することを特徴とする請求項１９記載の方法。
【請求項２１】
前記第１の筐体部分(112)に接触感知型入力デバイス(140)を配置するステップが、前記開位置において前記ウィンドウ(116)を通じて一部を利用可能なようにタッチスクリーンディスプレイを配置するステップを有することを特徴とする請求項１９記載の方法。
【請求項２２】
前記タッチスクリーンディスプレイにナビゲーションコントロールを表示するステップと、ユーザによる接触入力に応答してナビゲーションコントロール信号を生成するステップとをさらに有することを特徴とする請求項２１記載の方法。
【手続補正書】
【提出日】平成20年11月11日(2008.11.11)
【手続補正１】
【補正対象書類名】特許請求の範囲
【補正対象項目名】全文
【補正方法】変更
【補正の内容】
【特許請求の範囲】
【請求項１】
ポータブル電子機器(100)であって、
第１の筐体部分(112)と、
前記第１の筐体部分(112)に対してスライド可能に接続された第２の筐体部分(114)と、を有し、
前記第１及び第２の筐体部分(112,114)は開位置および閉位置の間で互いに相対的にスライド可能であり、
さらに、
前記第１及び第２の筐体部分(112,114)が前記閉位置にある際には前記第２の筐体部分(114)によって実質的に隠され、前記第１及び第２の筐体部分(112,114)が前記開位置にある際には露出するように前記第１の筐体部分(112)に配置されたディスプレイ(150)と、
前記第１の筐体部分(112)に配置された接触感知型入力デバイス(140)と、
前記第２の筐体部分(114)に設けられたウィンドウ(116)であって、前記第１及び第２の筐体部分(112,114)が前記閉位置にある際に、前記ウィンドウ(116)を通じて前記ディスプレイ(150)の一部を見ることを可能にし、前記第１及び第２の筐体部分(112,114)が前記開位置にある際に、前記ウィンドウ(116)を通じて前記接触感知型入力デバイス(140)を利用可能にするウィンドウ(116)とを有することを特徴とするポータブル電子機器。
【請求項２】
前記接触感知型入力デバイス(140)が、前記第１及び第２の筐体部分(112,114)が前記開位置にある際に、前記第２の筐体部分(114)の前記ウィンドウ(116)を通じて利用可能なタッチパッド(142)を備えることを特徴とする請求項１記載のポータブル電子機器。
【請求項３】
前記ディスプレイ(150)がタッチスクリーンディスプレイを備え、前記第１及び第２の筐体部分(112,114)が前記開位置にある際に前記ウィンドウ(116)を通じて利用可能な前記タッチスクリーンディスプレイの部分が、前記接触感知型入力デバイス(140)として機能することを特徴とする請求項１記載のポータブル電子機器。
【請求項４】
前記第１及び第２の筐体部分(112,114)が前記開位置にある際に前記ウィンドウ(116)を通じて利用可能な前記タッチスクリーンディスプレイの前記部分が、仮想ナビゲーションコントロールとして機能することを特徴とする請求項３記載のポータブル電子機器。
【請求項５】
前記ウィンドウ(116)に隣接する前記第２の筐体部分(114)に配置された１つ又は複数のソフトキー(130,132)をさらに有し、前記ウィンドウ(116)を通して見ることができる前記ディスプレイ(150)の前記一部が、前記ソフトキー(130,132)の機能を示すソフトキーアイコンを表示することを特徴とする請求項１記載のポータブル電子機器。
【請求項６】
ポータブル電子機器(100)上にユーザインタフェース要素を配置する方法であって、
第１及び第２の筐体部分(112,114)を、開位置及び閉位置の間で相互に相対的に移動できるよう、スライド可能に接続するステップと、
前記閉位置にある際に、前記第２の筐体部分(114)によって少なくとも部分的にカバーされるように、かつ前記第１及び第２の筐体部分(112,114)が前記開位置にある際に少なくとも一部が露出するように、ディスプレイ(150)を前記第１の筐体部分(112)に配置するステップと、
前記第１の筐体部分(112)に接触感知型入力デバイス(140)を配置するステップと、
前記第１及び第２の筐体部分(112,114)が前記閉位置にある際に前記ディスプレイ(150)の一部へのアクセスを可能にし、前記第１及び第２の筐体部分(112,114)が前記開位置にある際に前記接触感知型入力デバイス(140)の少なくとも一部へのアクセスを可能とするために前記第２の筐体部分(114)にウィンドウ(116)を形成するステップとを有することを特徴とする方法。
【請求項７】
前記第１の筐体部分(112)に接触感知型入力デバイス(140)を配置するステップが、前記開位置において前記第２の筐体部分(114)の前記ウィンドウ(116)を通じて利用可能なようにタッチパッド(142)を配置するステップを有することを特徴とする請求項６記載の方法。
【請求項８】
前記第１の筐体部分(112)に接触感知型入力デバイス(140)を配置するステップが、前記開位置において前記ウィンドウ(116)を通じて一部を利用可能なようにタッチスクリーンディスプレイを配置するステップを有することを特徴とする請求項６記載の方法。
【請求項９】
前記タッチスクリーンディスプレイの前記一部にナビゲーションコントロールを表示するステップと、ユーザによる接触入力に応答してナビゲーションコントロール信号を生成するステップをさらに有することを特徴とする請求項８記載の方法。
【請求項１０】
前記第２の筐体部分(114)の前記ウィンドウ(116)に隣接する部分に１つ又は複数のソフトキー(130,132)を配置するステップと、前記ソフトキー(130,132)の機能を示すソフトキーアイコンを、前記ディスプレイ(150)の、前記ウィンドウ(116)を通じて見ることのできる前記一部に表示するステップとをさらに有することを特徴とする請求項６記載の方法。
【手続補正２】
【補正対象書類名】明細書
【補正対象項目名】０００７
【補正方法】変更
【補正の内容】
【０００７】
本発明の実施形態において、第２の筐体部分は、ユーザ入力を受け付けるための１つ又は複数のソフトキーを含んでもよい。ソフトキーはウィンドウに隣接して配置されてもよい。ソフトキーの機能を示すソフトキーアイコンを、ディスプレイの、第２の筐体部分におけるウィンドウを通じて見ることができる部分に表示してもよい。
従って、本発明の一実施形態において、例示的なポータブル電子機器は、第１の筐体部分と、第１の筐体部分に対してスライド可能に接続された第２の筐体部分と、第１の筐体部分に配置されたディスプレイと、第２の筐体部分に形成されたウィンドウとを備える。第１及び第２の筐体部分は開位置および閉位置の間で互いに相対的にスライド可能である。ディスプレイは、第１及び第２の筐体部分が閉位置にある際には第２の筐体部分によって実質的に隠され、第１及び第２の筐体部分が開位置にある際には露出するように配置される。ウィンドウは、第１及び第２の筐体部分が閉位置にある際に、ウィンドウを通じてディスプレイの一部を見ることを可能にするように第２の筐体部分に形成される。
一実施形態において、第１の筐体部分が、第１及び第２の筐体部分が開位置にある際に、第２の筐体部分のウィンドウを通じて利用可能な接触感知型入力デバイスを含む。
接触感知型入力デバイスは例えば、第１及び第２の筐体部分が開位置にある際に、第２の筐体部分のウィンドウを通じて利用可能なタッチパッドを備える。
一実施形態において、ディスプレイは、接触感知型入力デバイスとして機能するタッチスクリーンディスプレイを備える。タッチスクリーンディスプレイの一部は、第１及び第２の筐体部分が開位置にある際にウィンドウを通じて利用可能である。
一実施形態において、第１及び第２の筐体部分が開位置にある際にウィンドウを通じて利用可能なタッチスクリーンディスプレイの部分が、仮想ナビゲーションコントロールとして機能する。
一実施形態において、ポータブル電子機器は、ウィンドウに隣接する第２の筐体部分に配置された１つ又は複数のソフトキーをさらに有する。ウィンドウを通して見ることができるディスプレイの一部が、ソフトキーの機能を示すソフトキーアイコンを表示する。
本発明の例示的な実施形態は、ポータブル電子機器上にユーザインタフェース要素を配置する方法をも含む。一実施形態において、この方法は、第１及び第２の筐体部分を、開位置及び閉位置の間で相互に相対的に移動できるよう、スライド可能に接続するステップと、閉位置にある際に、第２の筐体部分によって少なくとも部分的にカバーされるよう、ディスプレイを第１の筐体部分に配置するステップと、閉位置においてディスプレイの一部を見るために第２の筐体部分にウィンドウを形成するステップとを有する。
一実施形態において、方法は、開位置において第２の筐体部分のウィンドウを通じて利用可能なように、第１の筐体部分に接触感知型入力デバイスを配置するステップをさらに有する。
一実施形態において、第１の筐体部分に接触感知型入力デバイスを配置するステップは、開位置において第２の筐体部分のウィンドウを通じて利用可能なようにタッチパッドを配置するステップを有する。
別の実施形態において、第１の筐体部分に接触感知型入力デバイスを配置するステップは、開位置においてウィンドウを通じて一部を利用可能なようにタッチスクリーンディスプレイを配置するステップを有する。
一実施形態において、方法は、タッチスクリーンディスプレイの一部にナビゲーションコントロールを表示するステップと、ユーザによる接触入力に応答してナビゲーションコントロール信号を生成するステップをさらに有する。
一実施形態において、方法は、第２の筐体部分のウィンドウに隣接する部分に１つ又は複数のソフトキーを配置するステップと、ソフトキーの機能を示すソフトキーアイコンを、ディスプレイの、ウィンドウを通じて見ることのできる一部に表示するステップとをさらに有する。
別の実施形態において、ポータブル電子機器は、第１の筐体部分と、第１の筐体部分に接続され、第１の筐体部分に対して開位置及び閉位置の間で移動可能な第２の筐体部分と、第１の筐体部分に配置されたディスプレイと、第２の筐体部分にあるウィンドウと、第２の筐体部分のウィンドウに隣接する部分に配置された１つ又は複数のソフトキーとを有する。ディスプレイは、第１及び第２の筐体部分が閉位置にある際には第２の筐体部分によって実質的に隠され、第１及び第２の筐体部分が開位置にある際には露出するように配置される。第２の筐体部分に設けられたウィンドウは、第１及び第２の筐体部分が閉位置にある際にディスプレイの一部を見ることを可能にする。
一実施形態において、ウィンドウを通して見ることができるディスプレイの一部が、ソフトキーの機能を示すソフトキーアイコンを表示する。
別の実施形態において、第１の筐体部分が、第１及び第２の筐体部分が開位置にある際に、第２の筐体部分のウィンドウを通じて利用可能な接触感知型入力デバイスを含む。
一実施形態において、接触感知型入力デバイスが、第１及び第２の筐体部分が開位置にある際に、第２の筐体部分のウィンドウを通じて利用可能なタッチパッドを備える。
別の実施形態においては、接触感知型入力デバイスがタッチスクリーンディスプレイを備える。接触感知型入力デバイスの一部は、第１及び第２の筐体部分が開位置にある際に、第２の筐体部分のウィンドウを通じて利用可能である。
一実施形態において、第１及び第２の筐体部分が開位置にある際にウィンドウを通じて利用可能なタッチスクリーンディスプレイの一部が、ナビゲーションコントロールとして機能する。
別の実施形態において、本発明はポータブル電子機器上にユーザインタフェース要素を配置する例示的な方法を想定する。この方法は、第１及び第２の筐体部分を、開位置及び閉位置の間で相互に相対的に移動できるように接続するステップと、第２の筐体部分が閉位置にある際に、少なくとも部分的にカバーされるよう、ディスプレイを第１の筐体部分に配置するステップと、閉位置においてディスプレイの一部を見るために第２の筐体部分にウィンドウを形成するステップと、第２の筐体部分のウィンドウに隣接した部分に１つ又は複数のソフトキーを配置するステップとを有する。
一実施形態において、方法は、ソフトキーの機能を示すソフトキーアイコンを、ディスプレイの、ウィンドウを通じて見ることのできる一部に表示するステップをさらに有する。
一実施形態において、方法は、開位置において第２の筐体部分のウィンドウを通じて露出するように、第１の筐体部分に接触感知型入力デバイスを配置するステップをさらに有する。
一実施形態において、第１の筐体部分に接触感知型入力デバイスを配置するステップが、開位置において第２の筐体部分のウィンドウを通じて利用可能なようにタッチパッドを配置するステップを有する。
別の実施形態において、第１の筐体部分に接触感知型入力デバイスを配置するステップは、開位置においてウィンドウを通じて一部を利用可能なようにタッチスクリーンディスプレイを配置するステップを有する。
一実施形態において、方法は、タッチスクリーンディスプレイにナビゲーションコントロールを表示するステップと、ユーザによる接触入力に応答してナビゲーションコントロール信号を生成するステップとをさらに有する。
本技術分野に属する当業者は、本発明が上述した状況や例示に限定されないことを理解し、また、以下の詳細な説明を読み、添付図面を見ることによって、本発明のさらなる特徴及び長所を理解するであろう。
【国際調査報告】
2009530905.tif 000009
2009530905.tif 000010
2009530905.tif 000011
2009530905.tif 000012
2009530905.tif 000013